(57)【要約】【課題】障子を案内するガイドレールの下端が、障子が最も上側に移動した状態の障子下框の位置よりも下側に延びていない構成の建具を提供すること。【解決手段】縦枠と横枠とにより枠組みされた枠体と、縦枠に沿って設けられたガイドレール２１６３と、枠体に納められ、ガイドレール２１６３に案内されて上下に移動自在に保持される障子６と、を備え、ガイドレール２１６３の下端部は、上下方向において、障子６の下側に位置する横枠７１と同一の位置、又は、障子６の下側に位置する横枠７１よりも上側の位置にある建具である。【選択図】図１３
2019167716.tif 000002
【特許請求の範囲】
【請求項１】
縦枠と横枠とにより枠組みされた枠体と、
前記縦枠に沿って設けられたガイドレールと、
前記枠体に納められ、前記ガイドレールに案内されて上下に移動自在に保持される障子と、を備え、
前記ガイドレールの下端部は、上下方向において、前記障子の下側に位置する前記横枠と同一の位置、又は、前記障子の下側に位置する前記横枠よりも上側の位置にある建具。
【請求項２】
前記枠体は無目を有し、
前記障子の上框には、前記無目の上方の位置に至るまで突出する突出部が設けられている請求項１に記載の建具。
【発明の詳細な説明】
【技術分野】
【０００１】
本発明は、建具に関する。
【背景技術】
【０００２】
従来より、障子が枠体に納められ、枠体において上下に移動自在に枠体に障子が保持される構成の建具が知られている（例えば、特許文献１参照）。枠体は、縦材と横材とが枠組みされて構成されており、縦材には、縦材に沿って、障子を上下方向に案内するガイドレールが設けられている。ガイドレールには、ストッパが固定されて設けられている。ストッパは、障子がガイドレールに案内されて、所定の位置に至るまで下がったときに、それ以上下がらないように、障子の下框がストッパに当接する。
【先行技術文献】
【特許文献】
【０００３】
【特許文献１】特開２０１５−１７５１５３号公報
【発明の概要】
【発明が解決しようとする課題】
【０００４】
上述の従来の建具では、ガイドレールには、ストッパが固定されており、障子の下框がストッパに当接して障子の下方への移動を規制する構成であるため、障子が下がり開いた位置における下框の位置に、ストッパは設けられていた。このため、ガイドレールは、ストッパが設けられる位置に至るまで、少なくとも下方向へ延びている必要があった。このため、意匠性の向上が望まれていた。
【０００５】
本発明は、障子を案内するガイドレールの下端が、障子が最も上側に移動した状態の障子下框の位置よりも下側に延びていない構成の建具を提供することを目的とする。
【課題を解決するための手段】
【０００６】
本発明は、縦枠（例えば、後述の縦枠２３）と横枠（例えば、後述の上枠２１、下枠２２）とにより枠組みされた枠体（例えば、後述の枠体２）と、前記縦枠に沿って設けられたガイドレール（例えば、後述のガイドレール２１６３）と、前記枠体に納められ、前記ガイドレールに案内されて上下に移動自在に保持される障子（例えば、後述の障子６）と、を備え、前記ガイドレールの下端部は、上下方向において、前記障子の下側に位置する前記横枠と同一の位置、又は、前記障子の下側に位置する前記横枠よりも上側の位置にある建具に関する。
【０００７】
前記枠体は無目（例えば、後述の無目７１）を有し、前記障子の上框には、前記無目の上方の位置に至るまで突出する突出部（例えば、後述のストッパ６１４）が設けられていることが好ましい。
【発明の効果】
【０００８】
本発明によれば、障子を案内するガイドレールの下端が、障子が最も上側に移動した状態の障子下框の位置よりも下側に延びていない構成の建具を提供することができる。
【図面の簡単な説明】
【０００９】
【図１】本発明の一実施形態に係る建具を示す姿図である。
【図２】上記実施形態に係る建具の平面図である。
【図３】上記実施形態に係る建具の引戸の屋内側を示す斜視図である。
【図４】上記実施形態に係る建具の引戸の屋外側を示す斜視図である。
【図５】上記実施形態に係る建具の引戸の部分における縦断面図である。
【図６】上記実施形態に係る建具の引戸の見付方向左側に隣接するＦＩＸ窓の部分における縦断面図である。
【図７】上記実施形態に係る建具の引戸の部分における横断面図である。
【図８】上記実施形態に係る建具の引戸の上側のＦＩＸ窓の部分における縦断面図である。
【図９】上記実施形態に係る建具のスライド排煙窓の屋内側を示す斜視図である。
【図１０】上記実施形態に係る建具のＦＩＸ窓の部分における縦断面図である。
【図１１】上記実施形態に係る建具のＦＩＸ窓の部分における横断面図である。
【図１２】上記実施形態に係る建具のＦＩＸ窓のポイントフレームの部分における横断面図である。
【図１３】上記実施形態に係る建具のスライド排煙窓が閉じた状態を示す縦断面図である。
【図１４】上記実施形態に係る建具のスライド排煙窓が開いた状態を示す縦断面図である。
【図１５】上記実施形態に係る建具のスライド排煙窓の部分における横断面図である。
【図１６】上記実施形態に係る建具のＦＩＸ窓とスライド排煙窓との境界部分における横断面図である。
【図１７】上記実施形態に係る建具のＦＩＸ窓のポイントフレームの部分におけるアタッチメントを示す斜視図である。
【発明を実施するための形態】
【００１０】
以下、本発明の実施形態について、図面を参照しながら詳しく説明する。なお、本明細書において、「見付方向」とは、建物に形成された開口部に納められた例えば自動ドアや手動の引戸Ｈ等の引戸Ｈの上枠２１、下枠２２の長手方向（すなわち、ガラスや吊り障子４の面内方向）を意味し、「見込方向」とは、屋内外方向（すなわち、奥行き方向）を意味する。また、吊り障子４、４の戸先框（突合框）が突合される位置を中央位置（図１における引戸Ｈの中央の位置）と定義する。
【００１１】
本発明の一実施形態に係る建具について説明する。図１は、建具１を示す姿図である。図２は、建具１の平面図である。図３は、建具１の引戸Ｈの屋内側を示す斜視図である。図４は、建具１の引戸Ｈの屋外側を示す斜視図である。
建具１は、引戸Ｈと、ＦＩＸ窓Ｆと、スライド排煙窓Ｓとを有する連段窓であり、コンビニエンスストア等の建物の開口部１０に設けられる。引戸Ｈは、開閉する吊り障子４、４を有しており、例えばコンビニエンスストア等の店舗の出入口に配置されている。ＦＩＸ窓Ｆは、見付方向において引戸Ｈに隣接して設けられている。スライド排煙窓Ｓは、上下に移動可能な障子６（図９等参照）を有しており、ＦＩＸ窓Ｆの上側に設けられている。
【００１２】
引戸Ｈは、図３等に示すように、建物の開口部１０に取り付けられる枠体２と、枠体２内において見付方向の左右方向へスライド可能な吊り障子４，４と、吊り障子４、４の振れを抑えると共に、吊り障子４、４の移動を案内するレール２９と、を備える引分け戸である。引戸Ｈは、左右対称に構成される。なお、図３、図４は、吊り障子４，４が閉鎖された状態を示す。
【００１３】
ＦＩＸ窓Ｆは、図１等に示すように、吊り障子４，４が閉鎖された状態の吊り障子４，４の上側と、吊り障子４，４が閉鎖された状態の吊り障子４，４の見付方向右側と、吊り障子４，４が閉鎖された状態の吊り障子４，４の見付方向左側と、に設けられている。図１に示す障子４，４の見付方向右側においては、ＦＩＸ窓Ｆは、中方立２４、中方立５３によって開口部１０が分割されてそれぞれに設けられており、吊り障子４，４の見付方向左側においては、ＦＩＸ窓Ｆは、中方立２４、中方立５３によって開口部１０が分割されたそれぞれと、スライド排煙窓Ｓの下側と、に設けられている。ＦＩＸ窓Ｆは、建物の開口部１０に取り付けられる枠体２と、枠体２内に配置されたガラスパネル３５と、を備える。
【００１４】
スライド排煙窓Ｓは、図１に示すように、吊り障子４，４が閉鎖された状態の吊り障子４，４の見付方向左側にと、ＦＩＸ窓Ｆの上側にそれぞれ１つずつ合計３つ設けられて段窓を構成する。スライド排煙窓Ｓは、建物の開口部１０に取り付けられる枠体（中方立５３）と、枠体２内において見付方向の上下方向へスライド可能な障子６（図９等参照）と、を備える。
【００１５】
枠体２は、上枠２１と、下枠２２と、左右の縦枠２３，２３と、中方立２４と、中方立５３と、横材２６と、無目７１と、を有しており、上枠２１と、下枠２２と、縦枠２３，２３と、により矩形に枠組みされる。
【００１６】
中方立２４は、上枠２１、下枠２２、中方立５３と共に枠組みされてＦＩＸ部枠体３０を構成する。ＦＩＸ部枠体３０の内部には、ＦＩＸ板としてのガラスパネル３５が嵌め込まれる。ＦＩＸ部枠体３０を構成する下枠２２は、床面１０２（図３等参照）上に配置される。中方立２４は、吊り障子４，４が閉鎖された状態においては、屋内側からは後述する戸尻框４４によって覆われる。
【００１７】
図３等に示すように、吊り障子４は、框体４０と、框体４０の内部に嵌め込まれるガラスパネル４５と、を備える。框体４０は、上框４１と、下框４２と、戸先框４３と、戸尻框４４と、を框組みすることで構成される。框体４０を構成する下框４２は、床面１０２よりも上に配置される。
【００１８】
横材２６は、上枠２１、中方立２４と共に枠組みされて、ＦＩＸ部枠体３０を構成する。ＦＩＸ部枠体３０の内部には、ＦＩＸ板としてのガラスパネル３５が嵌め込まれる。ガラスパネル３５を構成するガラスは、強化ガラスは用いられずに、一般的なフロート板ガラスが用いられる。
【００１９】
以下、吊り障子４，４が開閉する部分について詳細に説明する。
図５は、建具１の引戸Ｈの部分における縦断面図である。図６は、建具１の引戸Ｈの見付方向左側に隣接するＦＩＸ窓Ｆの部分における縦断面図である。図７は、建具１の引戸Ｈの部分における横断面図である。図８は、建具１の引戸の上側のＦＩＸ窓Ｆの部分における縦断面図である。
上枠２１のうち、上枠本体２１１の屋外側の部分には、下側へコの字状に開口するガラスパネル支持凹部２１１１が形成されており、ガラスパネル支持凹部２１１１により下方向に開口するガラス溝が構成されている。ガラスパネル支持凹部２１１１においては、ガラスパネル３５は、バックアップ材２１１３によって挟まれて支持されている。更に、屋外側のバックアップ材２１１３の下方には、湿式のシール材２１１４が塗工される。また、ガラスパネル支持凹部２１１１の屋外側の部分には、下側へコの字状に開口する外側コの字状部２１１６が形成されている。上枠本体２１１は、例えば、アルミニウムを押し出し成型することによって形成することができる。
【００２０】
下枠２２は、図６に示すように、屋内側に配置され且つ中空部を有するホロー構造である下枠本体２２１を備える。下枠本体２２１の上部の屋外側の部分には、上側及び見込方向屋外側へ開口するガラスパネル支持凹部２２１１が形成されており、押縁２２１５がガラスパネル支持凹部２２１１の見込方向屋外側の開口の部分に固定されることにより、ガラスパネル支持凹部２２１１により上方向に開口するガラス溝が構成されている。
【００２１】
ガラスパネル支持凹部２２１１においては、ガラスパネル３５は、端部がセッティングブロック２２１２に当接し、バックアップ材２２１３によって挟まれて支持されている。バックアップ材２２１３の上方には、それぞれ湿式のシール材２２１４が塗工される。また、ガラスパネル支持凹部２２１１の屋外側の部分には、上側へコの字状に開口する外側コの字状部２２１６が形成されている。下枠本体２２１は、例えば、アルミニウムを押し出し成型することによって形成することができる。吊り障子４，４が閉鎖されたときに、吊り障子４，４が配置されている位置においては、図５に示すように、下枠２２は存在しない。
【００２２】
横材２６は、図５に示すように、屋内側に配置され且つ中空部を有するホロー構造である横材本体２６１を備える。横材本体２６１の上部の屋外側の部分には、上側及び見込方向屋外側へ開口するガラスパネル支持凹部２６１１が形成されている。押縁２６１５がガラスパネル支持凹部２６１１の見込方向屋外側の開口の部分に固定されることにより、ガラスパネル支持凹部２６１１により上方向に開口するガラス溝が構成されている。ガラスパネル支持凹部２６１１においては、ガラスパネル３５は、端部がセッティングブロック２６１２に当接し、バックアップ材２６１３によって挟まれて支持されている。更に、屋外側のバックアップ材２６１３の上方には、湿式のシール材２６１４が塗工される。また、横材本体２６１の下部の屋外側の部分には、下側へ開口するコの字状凹部２６２が形成されている。コの字状凹部２６２には、上側へ開口するコの字状の角材２６３が嵌め込まれている。
【００２３】
また、横材本体２６１の屋内側には、エンジンユニット２１２が固定されている。エンジンユニット２１２は、図示せぬ駆動装置を有しており、この駆動装置によって吊り障子４を、エンジンユニット２１２の吊下げレール２１２５に沿って水平方向且つ見付方向にスライド可能である。エンジンユニット２１２には、検知センサ２１３（図１参照）が設けられており、この検知センサ２１３にて人体などが検出された際に、吊り障子４がスライドして建物の開口部１０が開放されるように構成されている。なお、検知センサ２１３については、本実施例のようにエンジンユニット２１２に設けられる以外に、天井など、様々な場所に設けられてもよい。
【００２４】
横材本体２６１は、例えば、アルミニウムを押し出し成型することによって形成することができる。図１等に示すように、横材２６は、吊り障子４，４が閉鎖されたときに、吊り障子４，４が配置されている位置、及び、その両側のＦＩＸ窓Ｆにわたって存在する。また、この両側のＦＩＸ窓Ｆの位置の見付方向左右のＦＩＸ窓Ｆにおいては、横材２６は、図６に示すように、見込方向において短く構成されており、図３、図４に示すように、見込方向ガラスパネル３５の屋内側のみに存在している。従って、図５に示すように、エンジンユニット２１２の吊下げレール２１２５（図５参照）は、見込方向において、ＦＩＸ窓ＦのＦＩＸ板としてのガラスパネル３５に対して所定の間隔で取付けられており、吊り障子４，４を摺動可能に保持する。横材２６が見込方向ガラスパネル３５の屋内側に存在するため、見込方向ガラスパネル３５の屋内側の部分には、湿式のシール材２４１４を塗工することは困難である。このため、図６に示すように、この部分には、樹脂成型品や塩化ビニルの発泡材により構成される乾式シール２４１７により水密とされる。従って、乾式シール２４１７が設けられている位置は、上下方向において吊下げレール２１２５と略同一の高さ位置である。ここで、略同一の高さ位置とは、上述のように横材２６が存在しているために湿式のシール材２４１４を塗工することが困難な位置のことを意味する。
【００２５】
中方立２４は、図７、図８に示すように中方立本体部２４１と、延出部２４２と、先端延出部２４３と、を有している。中方立本体部２４１は、中方立２４において屋内側に位置しており、図７に示す水平面で切った断面である横断面では、断面矩形の中空の長方形状を有している。延出部２４２は、中方立本体部２４１から見込み方向であって屋外側へ延び、屋外側の先端部が見付方向へ中方立本体部２４１の同方向への幅と同一の幅で広がるＴ字形状を有しており、Ｔ字形状と中方立本体部２４１の一部とにより見付方向に開口するコの字状の中方立挿入溝２４２１が形成されている。先端延出部２４３は、延出部２４２から見込み方向であって屋外側へ延び、屋外側の先端部が見付方向へ所定の幅で広がるＴ字形状を有しており、Ｔ字形状と延出部２４２の一部とにより見付方向に開口するコの字状部が形成されている。
【００２６】
中方立挿入溝２４２１には、ガラスパネル３５の側部が支持されている。ガラスパネル３５は、バックアップ材２４１３によって挟まれて支持されている。図７に示すように、吊り障子４と同じ高さのガラスパネル３５については、更にバックアップ材２４１３よりも見付方向におけるガラスパネル３５の中央寄りには、湿式のシール材２４１４が塗工される。図８に示すように、エンジンユニットよりも上側のガラスパネル３５については、ガラスパネル３５の屋外側において、バックアップ材２４１３よりも見付方向におけるガラスパネル３５の中央寄りには、湿式のシール材２４１４が塗工される。中方立本体部２４１は、例えば、アルミニウムを押し出し成型することによって形成することができる。
【００２７】
図５に示すように、上框４１は、中空部を有する断面矩形のホロー構造である上框本体中央部４１１を有している。上框本体中央部４１１の下側には、上框本体下部４１２が壁部４１６２によって隔てられて設けられている。上框本体下部４１２には、見付方向内側（図５下側）へ向って開口する上框ガラスパネル支持凹部４１３が形成されている。上框ガラスパネル支持凹部４１３には、ガラスパネル４５の上部が挿入されて支持されている。ガラスパネル４５は、バックアップ材４１１３によって挟まれて支持されている。バックアップ材４１１３は、断面Ｌ字状に形成された固定部材４１１５によって、上框４１に固定されている。更にバックアップ材４１１３の見付方向内側（図５中下側）には、湿式のシール材４１１４が塗工される。
【００２８】
上框本体中央部４１１の上側には、被吊り下げ部４１４が、壁部４１６１によって隔てられて設けられている。被吊り下げ部４１４には、上側へ向って開口する被吊り下げ凹部４１３１が形成されている。被吊り下げ凹部４１３１においては、被吊り下げ凹部４１３１の開口を塞ぐように、ワッシャ４１３２が上框４１に固定されている。ワッシャ４１３２は、ボルト２１２２により、エンジンユニット２１２の駆動アーム２１２１の下端部に固定されている。図示しない駆動装置が駆動することにより、エンジンユニット２１２は、図５の紙面の裏面と表面とを結ぶ方向に、吊り障子４を移動させる。
【００２９】
下框４２は、中空部を有する断面矩形のホロー構造である下框本体中央部４２１を有している。下框本体中央部４２１の上側には、下框本体上部４２２が壁部４２６２によって隔てられて設けられている。下框本体上部４２２には、ガラスパネル３５の見付方向内側（図２中上側）へ向って開口する下框ガラスパネル支持凹部４２３が形成されている。下框ガラスパネル支持凹部４２３には、ガラスパネル４５の下部が挿入されて支持されている。ガラスパネル４５は、端部がセッティングブロック４２１２に当接し、バックアップ材４２１３によって挟まれて支持されている。バックアップ材４２１３は、断面Ｌ字状に形成された固定部材４２１５によって、下框４２に固定されている。更にバックアップ材４２１３の上側には、湿式のシール材４２１４が塗工される。
【００３０】
下框本体中央部４２１の下部は、框レール部４２４を有している。框レール部４２４には、図１２に示すように、下框４２の長手方向に沿って延びる框レール溝４２４１が形成されている。吊り障子４の下部である下框４２の底面であって、框レール溝４２４１の両脇には、框レール溝４２４１に平行にモヘア固定溝が形成されており、モヘア固定溝には、モヘア４２５が框レール溝４２４１に沿って、それぞれ設けられている。下框４２の戸先側の框レール溝４２４１の部分には、レール２９のレール溝２９１に向かって突出する振れ止め４２７が設けられている。
【００３１】
振れ止め４２７は、図５に示すように、レール２９のレール溝２９１に挿入された状態でレール２９によって、レール２９内における移動が案内され、これにより、吊り障子４の下部を含めた吊り障子４全体がレール２９に沿って案内される。
【００３２】
図７に示すように、戸先框４３は、縦框本体部４３１を有している。互いに対向し合う戸先框４３の側には、衝撃緩衝部材４３２が設けられている。衝撃緩衝部材４３２は、縦框本体部４３１の端部を覆うように、縦框本体部４３１に固定されている。一方の吊り障子４の戸先框４３に設けられた衝撃緩衝部材４３２１は、他方の吊り障子４の戸先框４３の方へ突出する突出部を有しており、他方の吊り障子４の戸先框４３に設けられた衝撃緩衝部材４３２２には、一方の戸先框４３の衝撃緩衝部材４３２１の凸部が係合する凹部が形成されている。これらの凸部と凹部とは、図７に示すように、吊り障子４が閉鎖されているときに、互いに係合し合っている。
【００３３】
衝撃緩衝部材４３２１とは反対の側の縦框本体部４３１の部分には、戸尻側本体部４３３が設けられている。戸尻側本体部４３３には、両脇にホロー構造の中空の両脇部分が設けられて見付方向へ向って開口する戸尻側ガラスパネル支持凹部４３３２が形成されている。ガラスパネル支持凹部４３３２には、ガラスパネル４５の側部が挿入されて支持されている。衝撃緩衝部材４３２には、セッティングブロック４３３３がねじによって固定されている。ガラスパネル４５の中央側の端部は、セッティングブロック４３３３に当接している。また、ガラスパネル４５は、バックアップ材４３３４によって挟まれて支持されている。更にバックアップ材４３３４の見付方向内側には、湿式のシール材４３３５がそれぞれ塗工される。
【００３４】
戸尻框４４は、縦框本体部４４１を有している。戸先框４３とは反対の側の縦框本体部４４１の部分には、衝撃緩衝部材４４１２が設けられている。衝撃緩衝部材４４１２は、縦框本体部４４１の端部を覆うように、縦框本体部４４１に固定されている。一方の吊り障子４の戸尻框４４に設けられた衝撃緩衝部材４４１２と、他方の吊り障子４の戸尻框４４に設けられた衝撃緩衝部材４４１２とは、同一形状に形成されており、これらは、２つの戸先框４３のうちの一方の戸先框４３に設けられた、凸部が形成された衝撃緩衝部材４３２１と同一の形状に形成されている。
【００３５】
衝撃緩衝部材４４１２とは反対の側の縦框本体部４４１の部分には、戸先側本体部４４３が設けられている。戸先側本体部４４３には、両脇にホロー構造の中空の両脇部が設けられて中央側（ガラスパネル３５の見付方向内側）へ向って開口する戸先側ガラスパネル支持凹部４４３２が形成されている。戸先側ガラスパネル支持凹部４４３２には、ガラスパネル４５の側部が挿入されて支持されている。衝撃緩衝部材４４１２には、セッティングブロック４４３３がねじによって固定されている。ガラスパネル４５の中央側の端部は、セッティングブロック４４３３に当接している。また、ガラスパネル４５は、バックアップ材４４３４によって挟まれて支持されている。更にバックアップ材４４３４のガラスパネル３５の見付方向内側には、湿式のシール材４４３５が塗工される。
【００３６】
上述の中方立２４以外の中方立５３には、図１１等に示すように、アタッチメント取付部５３２が設けられている。具体的には、中方立５３は、内壁５３１１で区画された２つの矩形の中空の中方立本体部５３１を有しており、中方立２４に設けられていた延出部２４２及び先端延出部を有していない。アタッチメント取付部５３２は、中方立本体部５３１の屋外側見付面に、上下方向に連続して延びて形成された取付溝５３２１を有している。取付溝５３２１の屋外側に開口する見付方向の開口幅は、図１１等に示すように、取付溝５３２１の見付方向の最大幅よりも小さい。このため、後述のアタッチメントの基部を取付溝５３２１に挿入した場合には、取付溝５３２１の屋外側の開口からアタッチメントの基部が、見込方向屋外側へ外れてしまうことが阻止される。
【００３７】
以下、中方立５３が用いられたＦＩＸ窓Ｆにより連窓が構成されている部分について詳細に説明する。図９は、建具１のスライド排煙窓Ｓの屋内側を示す斜視図である。図１０は、建具１のＦＩＸ窓Ｆの部分における縦断面図である。図１１は、建具１のＦＩＸ窓Ｆの部分における横断面図である。図１２は、建具１のＦＩＸ窓のポイントフレームの部分における横断面図である。
【００３８】
図１０に示すように、上枠２１の上枠本体２１１は、屋内側に配置され且つ上側に開口するコの字状の部分を有する。上枠本体２１１の屋外側の部分には、下側へコの字状に開口するガラスパネル支持凹部２１１１が形成されており、ガラスパネル支持凹部２１１１によりガラス溝が構成されている。ガラスパネル支持凹部２１１１においては、ガラスパネル３５は、バックアップ材２１１３によって挟まれて支持されている。更に、バックアップ材２１１３の下方には、それぞれ湿式のシール材２１１４が塗工される。
【００３９】
また、上枠本体２１１の屋内側の部分には、上枠本体２１１の下端面と面一な底面を有する内側上枠部２１４が設けられている。内側上枠部２１４は、図１０に示すように見込方向に延びる底面２１４１と、見込方向の最も屋内側の部分から上方へ立ち上がり、折り返されて見込方向の屋外側へ延びる部分２１４２とを有している。上枠本体２１１の見込方向の最も屋内側の部分に、Ｌ字形状の接続部材２１５の一端部がねじにより固定され、Ｌ字形状の接続部材２１５の他端部が内側上枠部２１４の見込方向の最も屋外側の部分に、ねじにより固定されて、上枠本体２１１と内側上枠部２１４とは接続されている。上枠本体２１１、内側上枠部２１４は、例えば、アルミニウムを押し出し成型することによって形成することができる。
【００４０】
下枠２２は、図１０に示すように、屋内側に配置され且つ中空部を有するホロー構造である屋内側下枠本体２２５と、屋内側下枠本体２２５の屋外側に配置され一体に成形され且つ中空部を有するホロー構造である屋外側下枠本体２２６と、屋内側下枠本体２２５の下側に配置され一体に成形され且つ中空部を有するホロー構造である下府側下枠本体２２７と、を備える。屋内側下枠本体２２５及び屋外側下枠本体２２６の上部の屋外側の部分には、上側及び見込方向屋外側へ開口するガラスパネル支持凹部２２５１が形成されており、押縁２２５５がガラスパネル支持凹部２２５１の見込方向屋外側の開口の部分に固定されることにより、ガラスパネル支持凹部２２５１によりガラス溝が構成されている。
【００４１】
ガラスパネル支持凹部２２５１においては、ガラスパネル３５は、端部がセッティングブロック２２５２に当接し、バックアップ材２２５３によって挟まれて支持されている。バックアップ材２２５３の上方には、それぞれ湿式のシール材２２５４が塗工される。屋内側下枠本体２２５、屋外側下枠本体２２６、及び、屋外側下枠本体２２６は、例えば、アルミニウムを押し出し成型することによって形成することができる。
【００４２】
縦枠２３は、図１１に示すように、屋内側に配置され且つ中空部を有するホロー構造である縦枠本体２３１を備える。縦枠本体２３１の屋外の部分には、ガラスパネルの中央に対してコの字状に開口するガラスパネル支持凹部２３１１が形成されている。ガラスパネル支持凹部２３１１においては、ガラスパネル３５は、バックアップ材２３１３によって挟まれて支持されている。更にバックアップ材２３１３の下方には、湿式のシール材２３１４が塗工される。縦枠本体２３１は、例えば、アルミニウムを押し出し成型することによって形成することができる。
【００４３】
隣接するＦＩＸ窓Ｆ間にポイントフレームが配置されずにガラスパネル３５同士が突き合わせられる部分（図１における部分Ａ１）における中方立５３には、図１１に示すように、アタッチメントは取り付けられない。中方立本体部５３１のアタッチメント取付部５３２の取付溝５３２１には、ネジ５３２３が取り付けられた状態とされる。そして、中方立本体部５３１の見込方向屋外側であって、図１１に示す見付方向の両端部とガラスパネル３５との間には、それぞれ湿式のシール材５３１４が塗工される。シール材５３１４の間には、バックアップ材５３１３が配置され、バックアップ材５３１３の見付方向屋外側には、湿式にシール材２１１４が間に塗工された２枚のガラスパネル３５の縁部がシール材５３１４を介して当接している。
【００４４】
隣接するＦＩＸ窓Ｆ間にポイントフレームが配置されている部分（図１における部分Ａ２）における中方立５３には、図１２に示すように、アタッチメント５６が取り付けられる。アタッチメント５６は、図１２、図１７に示すように、外形が略Ｔ字状に形成されており、基部側Ｌ字状部５６１と、ポイントフレームの外面を構成するＴ字状部５６２との２部品が一体に固定されて構成されている。
【００４５】
図１７に示すように、基部側Ｌ字状部５６１は、Ｌ字状部基部５６１１と、Ｌ字状部延出部５６１２と、板状部固定部５６１３を有している。Ｌ字状部基部５６１１は、略長方形状の板状に形成されており、後述するＴ字状部基部５６２３と共に、中方立本体部５３１のアタッチメント取付部５３２（図１２参照）の取付溝５３２１（図１１参照）に挿入され、取付溝５３２１においてネジ５３２３により位置決めがなされ、取付溝５３２１において中方立本体部５３１に対して固定される。Ｌ字状部延出部５６１２は、Ｌ字状部基部５６１１の幅方向における端部からＬ字状部基部５６１１に直交する方向へ延びる板状に形成されている。板状部固定部５６１３は、Ｌ字状部延出部５６１２の延出端部から、Ｌ字状部延出部５６１２の延出方向に直交する方向、即ち、Ｌ字状部基部５６１１に平行な方向に延びる長方形状の板状に形成されている。板状部固定部５６１３は、Ｌ字状部延出部５６１２の延出端部から延出する途中の部分で、見込方向屋外側へ一段進んだ段部５６１４を有している。
【００４６】
Ｔ字状部５６２は、長方形状の板状に形成された外部板状部５６２１と、外部板状部５６２１から見込方向屋内側へ延びる板状の見込方向延出部５６２２と、見込方向延出部５６２２の延出端部から外部板状部５６２１に平行に、Ｌ字状部基部５６１１とは反対の方向に延びる略長方形状の板状のＴ字状部基部５６２３とを有している。外部板状部５６２１の長手方向における中央部よりも図１７における見付方向左側の部分には、見込方向屋外側へ窪んだ係合凹部５６２４が形成されており、係合凹部５６２４には、板状部固定部５６１３の段部５６１４が係合することにより、外部板状部５６２１は、板状部固定部５６１３に固定されて一体とされ、基部側Ｌ字状部５６１とＴ字状部５６２とは、一体とされている。
【００４７】
中方立本体部５３１の見込方向屋外側であって、図１２に示す見付方向の両端部とガラスパネル３５との間、ガラスパネル３５と外部板状部５６２１及び板状部固定部５６１３との間には、それぞれバックアップ材５３１３が配置され、バックアップ材５３１３よりもガラスパネル３５の中央寄りには、それぞれ湿式のシール材５３１４が塗工される。このようにガラスパネル３５を保持しているアタッチメント５６の部分は、ガラスパネル３５を保持するガラス面材保持部を構成する。
【００４８】
以下、ＦＩＸ窓Ｆと、スライド排煙窓Ｓとにより段窓が構成されている部分について詳細に説明する。図１３は、建具１のスライド排煙窓Ｓが閉じた状態を示す縦断面図である。図１４は、建具１のスライド排煙窓Ｓが開いた状態を示す縦断面図である。図１５は、建具１のスライド排煙窓Ｓの部分における横断面図である。図１６は、建具１のＦＩＸ窓Ｆとスライド排煙窓Ｓとの境界部分における横断面図である。図１７は、建具１のＦＩＸ窓Ｆのポイントフレームの部分におけるアタッチメント５６を示す斜視図である。
【００４９】
図１３、図１４に示すように、上枠２１において屋内側に配置され且つ中空部を有するホロー構造である上枠本体２１１の屋外側の部分には、下側へコの字状に開口する障子挿入凹部２１６１が形成されており、障子挿入凹部２１６１及び後述のガイドレール２１６３により障子ガイド溝が構成されている。障子挿入凹部２１６１には当接部材２１６２が固定されており、当接部材２１６２は、障子６が上方向に移動させられてゆき、上枠に衝突したときの衝撃を緩衝する。
【００５０】
無目７１は、屋内側に配置され且つ中空部を有するホロー構造である無目本体７１１を備える。無目本体７１１の屋外側の部分には、中空部を有するホロー構造である無目屋外側本体７１２を備える。無目屋外側本体７１２の下側には、下側へ開口するガラスパネル支持凹部７１１１が形成されている。ガラスパネル支持凹部７１１１においては、ガラスパネル３５は、バックアップ材７１１３によって挟まれて支持されている。更にバックアップ材７１１３の下方には、湿式のシール材７１１４が塗工される。無目本体７１１、無目屋外側本体７１２は、例えば、アルミニウムを押し出し成型することによって形成することができる。
【００５１】
無目屋外側本体７１２の屋外側の部分には、障子挿入凹部２１６１から下方向へ縦枠、中方立５３に沿って延びて構成されたガイドレール２１６３の下端部が位置している。即ち、無目屋外側本体７１２の屋外側の部分と、ガイドレール２１６３の下端部とは、上下方向において同一の位置にある。ガイドレール２１６３は、障子６を上下に移動自在（摺動自在）に案内し保持する。
【００５２】
隣接するスライド排煙窓Ｓ間にポイントフレームが配置されている部分（図１における部分Ａ３）における中方立５３には、図１５に示すように、アタッチメント５７が取り付けられる。アタッチメント５７は、長手方向における両端と中間部分とに、見付方向に広がる部分を有する形状を有している。具体的にはアタッチメント５７は、基部５７１と、見込方向延出部５７２と、第１中間拡大部５７３と、第２中間拡大部５７４と、第３中間拡大部５７５と、延出端部５７６と、を有しており、図１５における見付方向の左右に対称な形状を有している。
【００５３】
基部５７１は、略長方形状の板状に形成されており、中方立本体部５３１のアタッチメント取付部５３２の取付溝５３２１（図１１参照）に挿入され、ネジ５３２３により位置決めがなされ、取付溝５３２１において中方立本体部５３１に対して固定されている。見込方向延出部５７２は、基部５７１の幅方向における中央部から基部５７１に直交する方向へ延びる板状で形成されている。
【００５４】
延出端部５７６は、見込方向延出部５７２が延出する見込方向の屋外側の端部に形成されており、ポイントフレームの外面を構成するカバー部材５３４によって覆われている。延出端部５７６は、見込方向延出部５７２から、図１５における見付方向の左右に対称に、基部５７１に平行に延びる板状で形成されている。第１中間拡大部５７３は、基部５７１の近傍であって基部５７１から延出端部５７６へ向かった位置に設けられている。第１中間拡大部５７３は、図１５における見付方向の左右に対称に、基部５７１に平行に延びる板状で形成されている。第２中間拡大部５７４は、第１中間拡大部５７３から延出端部５７６へ向かった位置に設けられている。第２中間拡大部５７４は、図１５における見付方向の左右に対称に、基部５７１に平行に延び、見込方向屋外側へ曲がる板状で形成されている。第３中間拡大部５７５は、第２中間拡大部５７４から延出端部５７６へ向かった位置に設けられている。第３中間拡大部５７５は、図１５における見付方向の左右に対称に、基部５７１に平行に延びる板状で形成されている。
【００５５】
中方立本体部５３１の見込方向屋外側であって、図１５に示す見付方向の両端部と障子６の縦框６３との間には、それぞれ中空部を有するホロー構造である支持部材５３５１が設けられている。支持部材５３５１の見込方向屋外側の端面は、第３中間拡大部５７５の見込方向屋外側の端面と面一の位置関係を有している。この面一の面と、見込方向延出部５７２と、延出端部５７６とによって、中方立５３において障子６を開閉可能（上下可能）に保持する障子溝５３５２が形成される。
【００５６】
見込方向延出部５７２の第３中間拡大部５７５と延出端部５７６との間の部分には、一対の障子規制部５３６が設けられている。図１５に示すように、障子規制部５３６は、それぞれ見込方向延出部５７２にネジで固定された基部５３６１と、基部５３６１の見込方向屋内側の端部からガラスパネル３５の方向へ延びる見付面対向部５３６２と、見付面対向部５３６２の延出端部から見込方向屋内側へ延びる見込面対向部５３６３と、を有している。
【００５７】
見付面対向部５３６２は、障子６の下框の見付面の一部を構成する後述の被ガイド部６３１の一端部における見付方向面に当接可能に対向する。この構成により、障子６が負圧により見込方向屋外側へ引っ張られたときに、見付面対向部５３６２が被ガイド部６３１の一端部の見付方向面に当接して、見込方向屋外側への障子６の移動を規制する。また、見込面対向部５３６３は、障子６の下框の見込面の一部を構成する後述の被ガイド部６３１の一端部における見込方向面に当接可能に対向する。この構成により、障子６が見込方向に引っ張られて撓むことにより見付方向へ引っ張られたときに、見込面対向部５３６３が被ガイド部６３１の一端部の見込方向面に当接して、見付方向への障子６の移動を規制する。このように、障子溝５３５２を形成し、障子６を開閉可能に保持するアタッチメント５７の部分は、障子保持部を構成する。
【００５８】
また、スライド排煙窓ＳとＦＩＸ窓Ｆと間にポイントフレームが配置されている部分（図１における部分Ａ４）における中方立５３にも、図１６に示すようにアタッチメント５７が取り付けられる。アタッチメント５７には、図１５に示すアタッチメント５７に固定された一対の障子規制部５３６のうちの、一方のみが取り付けられている。アタッチメント５７の延出端部５７６は、ポイントフレームの外面を構成する。
【００５９】
図１５に示すアタッチメント５７の左側に障子６に代えて、障子６よりも見込方向屋内側の位置、即ち、図１６に示すように、第３中間拡大部５７５と基部５７１との間の位置に、ガラスパネル３５が保持されている。具体的には、中方立本体部５３１の見込方向屋外側であって、図１６に示す見付方向の左端部とガラスパネル３５との間、ガラスパネル３５と押縁５３１５との間には、それぞれバックアップ材５３１３が配置される。更に、バックアップ材よりもガラスパネル３５の中央寄りには、湿式のシール材５３１４が塗工される。
【００６０】
このようにガラスパネル３５を保持しているアタッチメント５７の部分は、ガラス面材を保持するガラス面材保持部を構成し、障子６を開閉可能に保持するアタッチメント５７の部分は、障子溝５３５２を形成して障子保持部を構成する。即ち、アタッチメント５７は、左右方向における一方側である図１６の左側にガラス面材保持部を有し、左右方向における他方側である図１６の右側に障子保持部を有しており、障子保持部は、ガラス面材保持部よりも見込み方向の屋外側に位置している。
【００６１】
建具１においてＦＩＸ窓Ｆとスライド排煙窓Ｓとにより段窓が構成されている部分においては、一の中方立５３の構成は、ＦＩＸ窓Ｆの部分と、スライド排煙窓Ｓの部分とで同一（共通）であるが、ＦＩＸ窓ＦとＦＩＸ窓Ｆとの間に位置している中方立５３は、アタッチメント５６を有しており、ＦＩＸ窓Ｆとスライド排煙窓Ｓとの間に位置している中方立５３は、アタッチメント５７を有している。即ち、複数のアタッチメント５６、アタッチメント５７は、アタッチメント取付部５３２の上下方向に異なる構成で、アタッチメント取付部５３２において上下方向に所定の間隔で配置されて取り付けられている。
【００６２】
図１５に示すように、縦框６３は、被ガイド部６３１と縦框本体部６３２とを有している。被ガイド部６３１は、略コの字形状に形成されて、上框６１から下框６２に至るまで縦框６３の上下にわたって延びており、ガイドレール２１６３（図１３等参照）に摺動することにより、被ガイド部６３１の上下方向への移動がガイドレール２１６３によって案内される。被ガイド部６３１のコの字の一端部及び他端部には、モヘア６３１１が設けられている。一端部におけるモヘア６３１１は、見込方向延出部５７２に対して摺動し、他端部におけるモヘア６３１１は、延出端部５７６に対して摺動して、滑らかな障子６の開閉を可能とする。被ガイド部６３１の中央部は、ネジによって、見込方向における縦框本体部６３２の中央部が固定されている。縦框本体部６３２の見込方向屋外側及び屋内側の端部には、縦框本体部６３２に固定される被固定部材としての押縁６３１２が嵌められて固定されており、いわゆるガラス４辺支持の構造とされている。押縁６３１２と、ガイドレール２１６３とは、見込方向において互いに対向しており、対向面をそれぞれ有している。
【００６３】
見込方向屋外側の押縁６３２１と見込方向屋内側の押縁６３２１との間においては、ガラスパネル６５が保持されるガラス溝が形成され、ガラスパネル３５は、バックアップ材６３１３によって挟まれて支持されている。更に見込方向屋外側においては、バックアップ材６３１３の、ガラスパネル３５の中央寄りには、湿式のシール材６３１４が塗工される。被ガイド部６３１及び縦框本体部６３２は、例えば、アルミニウムを押し出し成型することによって形成することができる。
【００６４】
図１４に示すように、上框６１は，上框本体６１１を有している。上框本体６１１の上部は、上框本体６１１の上端部において見込方向屋内側端部、及び、見込方向屋外側端部からそれぞれ上方向へ延びる上端当接部６１１１を有している。上端当接部６１１１の下側は、上框中央部６１１２を構成し、上框本体６１１の下部は、上框本体６１１の下端部において見込方向屋内側端部、及び、見込方向屋外側端部からそれぞれ下方向へ延びてガラスパネル支持凹部６１１３を形成する。ガラスパネル支持凹部６１１３においては、ガラスパネル６５は、バックアップ材６１３３によって挟まれて支持されている。更に、見込方向屋外側のバックアップ材６１３３の下方には、湿式のシール材６１３４が塗工される。
【００６５】
上框６１には、ストッパ６１４が設けられている。ストッパ６１４は、図１３〜図１５に示すように、直方体形状に形成されており、上框６１の見込方向屋内側に固定された固定部６１５に固定され、上框６１から見込方向屋内側へ無目７１の上方の位置に至るまで突出している。障子６が図１３に示す閉鎖された状態から下方向へ移動してゆくと、ストッパ６１４は、図１４に示すように、無目７１の上端面に当接して、障子６がこれ以上下方向へ移動することを阻止する。
【００６６】
図１３に示すように、下框６２は、押縁が設けられておらず一体で構成された下框本体６２１を有している。下框本体６２１の下部は、下框本体６２１の下端部において見込方向屋内側端部、及び、見込方向屋外側端部からそれぞれ下方向へ延びる下端当接部６２１１を有しており、下端当接部６２１１には、当接部材６２１４が保持されている。下端当接部６２１１の上側は、下框中央部６２１２を構成し、下框本体６２１の上部は、下框本体６２１の上端部において見込方向屋内側端部、及び、見込方向屋外側端部からそれぞれ上方向へ延びてガラス溝を構成するガラスパネル支持凹部６２１３を形成する。ガラスパネル支持凹部６２１３においては、ガラスパネル６５は、端部がセッティングブロック６２３２に当接し、バックアップ材６２３３によって挟まれて支持されている。更に、見込方向屋外側のバックアップ材６２３３の上方には、湿式のシール材６２３４が塗工される。
【００６７】
以上説明した本実施形態の建具１によれば、以下のような効果を奏する。
本実施形態においては、中方立５３の屋外側見付面には、アタッチメント５６、５７が取り付けられるアタッチメント取付部５３２が、上下方向に連続して設けられている。また、アタッチメント５６、５７は、ガラス面材としてのガラスパネル３５を保持するガラス面材保持部と、障子６を開閉可能に保持する障子保持部とのうちの少なくとも１つを有している。これにより、同一の中方立５３に対してアタッチメント取付部５３２の上下方向において所定の間隔で、異なる構成を有するアタッチメント５６、５７を取り付けること、即ち、ガラス面材保持部を有するアタッチメント５６と、障子保持部を有するアタッチメント５７とを取り付けることが可能であり、この結果、段窓において異なる窓種（ＦＩＸ窓Ｆ、スライド排煙窓Ｓ等）を取り付けることが可能である。このため、外観をそろえることができ、意匠性を高めることが可能である。
【００６８】
また、アタッチメント５７は、見付方向における左右の一方側にガラス面材保持部を有し、他方側に障子保持部を有する。このため、アタッチメント５７を境界として、一方側にＦＩＸ窓Ｆを、他方側にスライド排煙窓Ｓを取り付けることが可能であり、連窓において異なる窓種を取り付けることが可能である。
【００６９】
また、障子保持部は、ガラス面材保持部よりも見込み方向の屋外側に位置している。このため、スライド排煙窓Ｓを構成する障子６をＦＩＸ窓Ｆに対して平行に移動させて開閉することが可能である。
【００７０】
また、本実施形態においては、中方立５３の見付方向における左右の一方側に設けられた横材２６と、横材２６の下方に設けられた引戸Ｈと、中方立５３の見付方向における左右の他方側に固定されて設けられたＦＩＸ窓Ｆと、見込方向においてＦＩＸ窓Ｆに対して所定の間隔で取り付けられ、引戸Ｈを摺動可能に保持する吊下げレール２１２５と、を備える。
【００７１】
これにより、引戸Ｈに隣接する袖部のＦＩＸ窓Ｆが、上下方向において無目７１や吊下げレール２１２５で分断されることなく、上下に連続して設けられるので、意匠性を高めることが可能である。
【００７２】
また、引戸Ｈを開閉するエンジンユニット２１２を有する。これにより、エンジンユニット２１２と無目７１とを纏めて構成できるので意匠性を高めることが可能である。また、ＦＩＸ窓Ｆは、上下方向において吊下げレール２１２５と同一の高さ位置において乾式シール２４１７により水密である。これにより、吊下げレール２１２５が邪魔になりガラスパネル３５と中方立５３との間にシール材を塗工できない部分についても、乾式シール２４１７により水密とされ、止水を図ることができる。
【００７３】
また、本実施形態においては、障子６の下框６２は、一体で構成されて、障子６のガラスを保持するガラス溝を形成する。障子６の縦框６３は、縦框本体部６３２と縦框本体部６３２に固定される被固定部材としての押縁６３１２とにより、障子６のガラスを保持するガラス溝を形成する。縦框６３は、枠体２に形成されたガイド溝を有するガイドレール２１６３において枠体２に対して摺動可能であり、縦框６３とガイド溝を形成する枠体の部分であるガイドレール２１６３とは、見込方向で互いに対向する対向面を有する。
【００７４】
縦框６３はガイド溝を形成するガイドレール２１６３に対向し当接する対向面があるので、面外方向の外力が加わっても保持されるが、下框６２は、ガイド溝を形成するガイドレール２１６３等に対向していない。このような構成であっても下框６２自体の強度を高めることができるので、スライド排煙窓Ｓの障子６全体として耐風圧性能を高めることができる。
【００７５】
また、本実施形態においては、障子６の下框６２の見付面に当接可能に対向する見付面対向部５３６２を有する障子規制部５３６と、を備える。これにより障子６が負圧により見込方向屋外側へ引っ張られたときに、見付面対向部５３６２が下框の見付面を構成する被ガイド部６３１の一端部の見付方向面に当接して、見込方向屋外側への障子６の移動を規制することができる。
【００７６】
また、障子規制部５３６は、縦枠としての中方立５３の障子溝５３５２に設けられている。このため、障子規制部５３６を中方立５３の外部から直接見えない構成とすることができ、意匠性を高めることができる。また、障子規制部５３６は、障子６の下框の見込面に当接可能に対向する見込面対向部５３６３を有する。これにより、障子６が見付方向へ引っ張られたときに、見込面対向部５３６３が被ガイド部６３１の一端部の見込方向面に当接して、見付方向への障子６の移動を規制することができる。
【００７７】
また、本実施形態においては、縦枠に沿って設けられたガイドレール２１６３と、枠体に納められ、ガイドレール２１６３に案内されて上下に移動自在に保持される障子６と、を備えている。ガイドレール２１６３の下端部は、上下方向において、障子６の下側に位置する無目７１と同一の位置にある。これにより、ガイドレール２１６３が、下方向においてスライド排煙窓Ｓの下側のＦＩＸ窓Ｆに重なるように延びている構成を回避でき、意匠性を高めることができる。
【００７８】
また、フレーム体は無目７１を有し、障子６の上框６１には、無目７１の上方の位置に至るまで突出する突出部としてのストッパ６１４が設けられている。これにより、障子６の突出部としてのストッパ６１４が、無目７１の上面に当接して、障子６の摺動を止めることができ、且つ、枠体や方立に、ストッパ６１４を設ける必要がなく、意匠性を高めることができる。
【００７９】
本発明は上記実施形態に限定されるものではなく、本発明の目的を達成できる範囲での変形、改良等は本発明に含まれる。
【００８０】
また、本実施形態においては、中方立５３においては、中方立本体部５３１にアタッチメント５６、５７を取付けられる構成を有していたが、この構成に限定されない。例えば、中方立としては、中方立本体部とアタッチメントとが別部材とされていない構成が用いられてもよい。
【００８１】
また、本実施形態においては、無目屋外側本体７１２の屋外側の部分と、ガイドレール２１６３の下端部とは、上下方向において同一の位置にあったが、この構成に限定されない。例えば、ガイドレールの下端部は、上下方向において無目７１よりも上側の位置にあてもよい。
【００８２】
また、本実施形態において用いられた縦枠としての中方立２４、中方立５３に代えて縦枠（縦枠２３等）が用いられてもよく、また、本実施形態において用いられた横枠としての無目７１、横材２６に代えて横枠（上枠２１、下枠２２等）が用いられてもよい。また、本実施形態においては、建具１は、スライド排煙窓ＳとＦＩＸ窓Ｆとを有していたが、これらに限定されない。建具は、スライド排煙窓Ｓ、ＦＩＸ窓Ｆ以外の他の種類の窓、例えば、引き倒し窓、開き窓、縦滑り出し窓等を有していてもよい。
【００８３】
また、上記実施形態においてスライド排煙窓Ｓの縦框６３は、いわゆるガラス４辺支持、ガラス２辺支持の構成を有していたが、これらに限定されない。たとえば、押し縁の数を適宜変えることにより、スライド排煙窓の縦框が、いわゆるガラス３辺支持、ガラス１辺支持の構成を有してもよい。
【００８４】
また、建具の各部の構成は、上述した実施形態の建具１の各部の構成に限定されない。
【符号の説明】
【００８５】
１…建具
２…枠体
６…障子
１０…開口部
２１…上枠（横枠）
２２…下枠（横枠）
２３…縦枠
２４…中方立（方立）
２６…横材
３５…ガラスパネル（ガラス面材）
５３…中方立（方立）
５６、５７…アタッチメント
６２…下框
６３…縦框
６５…ガラスパネル（ガラス）
７１…無目
２１２…エンジンユニット
５３２…アタッチメント取付部
５３６…障子規制部
５７５…第３中間拡大部（障子保持部）
５７６…延出端部（障子保持部）
６１４…ストッパ（突出部）
６３１…被ガイド部（見込面）
６３２…縦框本体部
２１２５…吊下げレール
２１６３…ガイドレール（ガイド溝、対向面）
２４１７…乾式シール
５３５２…障子溝
５３６２…見付面対向部
５３６３…見込面対向部
５６１１…（ガラス面材保持部）Ｌ字状部基部
５６１３…板状部固定部（ガラス面材保持部）
５６２４…係合凹部（ガラス面材保持部）
６３１２…押縁
６２１３…ガラスパネル支持凹部（ガラス溝）
Ｈ…引戸
Ｆ…ＦＩＸ窓
【図１】
2019167716.tif 000003
【図２】
2019167716.tif 000004
【図３】
2019167716.tif 000005
【図４】
2019167716.tif 000006
【図５】
2019167716.tif 000007
【図６】
2019167716.tif 000008
【図７】
2019167716.tif 000009
【図８】
2019167716.tif 000010
【図９】
2019167716.tif 000011
【図１０】
2019167716.tif 000012
【図１１】
2019167716.tif 000013
【図１２】
2019167716.tif 000014
【図１３】
2019167716.tif 000015
【図１４】
2019167716.tif 000016
【図１５】
2019167716.tif 000017
【図１６】
2019167716.tif 000018
【図１７】
2019167716.tif 000019